(57)【要約】【課題】簡易な構成で、露光走査に同期した電圧の生成が可能な光書込型表示媒体及び走査型光書込装置を提供する。【解決手段】この表示媒体２は、積層された液晶層及び光導電層からなる積層体、積層体の両側に設けられた一対の電極、及び一対の電極の少なくとも一方の電極上に設けられ、副走査方向に形成された複数の開口を１単位とする複数の開口パターンを複数列有する絶縁層を備える光書込型表示媒体２を、副走査方向に相対的に搬送する搬送手段と、表示媒体２の絶縁層が設けられていない方の電極に給電する第１の給電端子と、表示媒体２の絶縁層が設けられた方の電極に開口を介して給電する複数の第２の給電端子と、第１の給電端子に所定の電位の電圧を印加し、複数の第２の給電端子に互いに異なる電位の電圧を印加する電圧印加手段と、画像データに基づいて主走査方向に露光走査する露光手段とを備える。【選択図】図１
2009069307.tif 000002
【特許請求の範囲】
【請求項１】
積層された液晶層及び光導電層からなる積層体と、
前記積層体の両側に設けられた一対の電極と、
前記一対の電極の少なくとも一方の電極上に設けられた受電端子と、
前記一方の電極と前記受電端子との間に設けられ、外部刺激によってスイッチング動作して前記一方の電極と前記受電端子とを接続する、所定の方向に形成された１又は２以上のスイッチを１単位とする複数のスイッチパターンを有するスイッチパターン保持体とを備えた光書込型表示媒体。
【請求項２】
積層された液晶層及び光導電層からなる積層体と、
前記積層体の両側に設けられ、少なくとも一方が所定の方向に分割された複数の分割電極からなる一対の電極と、
前記複数の分割電極上に設けられた受電端子と、
前記複数の分割電極と前記受電端子との間に設けられ、外部刺激によってスイッチング動作して前記分割電極と前記受電端子とを接続する、前記所定の方向に形成された１又は２以上のスイッチを前記分割電極毎の１単位とする複数のスイッチパターンを有するスイッチパターン保持体とを備えた光書込型表示媒体。
【請求項３】
前記スイッチパターン保持体は、前記複数のスイッチパターンを複数列有する請求項１又は２に記載の光書込型表示媒体。
【請求項４】
前記スイッチパターン保持体は、前記外部刺激として加圧によって抵抗値が小さくなる導電性弾性体を前記スイッチとして有する請求項１又は２に記載の光書込型表示媒体。
【請求項５】
前記スイッチパターン保持体は、前記外部刺激として光によって抵抗値が小さくなる光導電体を前記スイッチとして有する請求項１又は２に記載の光書込型表示媒体。
【請求項６】
前記スイッチパターン保持体は、前記外部刺激として加熱によって抵抗値が小さくなる感熱抵抗体を前記スイッチとして有する請求項１又は２に記載の光書込型表示媒体。
【請求項７】
前記スイッチパターン保持体は、前記外部刺激を受ける箇所を限定する開口を有する請求項４、５又は６に記載の光書込型表示媒体。
【請求項８】
積層された液晶層及び光導電層からなる積層体、前記積層体の両側に設けられた一対の電極、及び前記一対の電極の少なくとも一方の電極上に設けられた複数列の受電端子と、前記一方の電極と前記複数列の受電端子との間に設けられ、外部刺激によってスイッチング動作して前記一方の電極と前記受電端子とを接続する、副走査方向に形成された１又は２以上のスイッチを１単位とする複数のスイッチパターンを複数列有するスイッチパターン保持体を備えた光書込型表示媒体を、前記副走査方向に相対的に搬送する搬送手段と、
前記光書込型表示媒体の前記スイッチパターン保持体が設けられていない方の前記電極に給電する第１の給電端子と、
前記光書込型表示媒体の前記スイッチパターン保持体が設けられた方の前記電極に前記スイッチを介して給電する複数の第２の給電端子と、
前記第１の給電端子に所定の電位の電圧を印加し、前記複数の第２の給電端子に互いに異なる電位の電圧を印加する電圧印加手段と、
前記電圧印加手段によって印加された前記電圧が前記スイッチパターンを介して前記電極に印加されるように前記スッチパターンに外部刺激を付加する付加手段と、
前記電圧印加手段及び前記付加手段により前記一対の電極間に前記電圧が印加されているとき、画像データに基づいて主走査方向に露光走査する露光手段とを備えた走査型光書込装置。
【請求項９】
前記電圧印加手段は、前記第２の給電端子に印加する直流電圧を発生する電圧発生部を備えた請求項８に記載の走査型光書込装置。
【請求項１０】
前記電圧印加手段は、前記第２の給電端子に印加する交流電圧を発生する電圧発生部を備えた請求項８に記載の走査型光書込装置。
【発明の詳細な説明】
【技術分野】
【０００１】
本発明は、光書込型表示媒体及び走査型光書込装置に関する。
【背景技術】
【０００２】
環境負荷の軽減の観点から、リライタブル（再記録）方式の電子ペーパと称せられている記録素子と、この記録素子に画像を記録する記録装置が提案されている（例えば、特許文献１参照。）。
【０００３】
特許文献１に開示された記録素子は、ベタ電極と複数のサブ電極との間に表示層と光導電層とを重ねて配置した光書込型表示媒体であり、この記録素子に画像を記録する記録装置は、ライン状に配置されたＬＥＤアレイ又はレーザアレイからなる第１の光源と、面状に光を発生する第２の光源とを備え、電圧発生部で発生したパルス電圧をベタ電極と全てのサブ電極との間に印加するとともに、記録素子に対して第２の光源を相対的に移動させて記録素子に記録されている画像を消去した後、電圧発生部で発生したパルス電圧をベタ電極とサブ電極との間に印加するとともに、パルス電圧が印加されているサブ電極に対応する部分に光が照射されるように第１の光源を記録素子に対して相対的に走査して記録素子に画像を書き込む。
【０００４】
この構成によれば、電圧を印加していないサブ電極に相当する記録素子の部分では、外光が当っても書込は行われないため、ノイズのない鮮明な画像が得られる。
【特許文献１】国際公開第ＷＯ  ２００４／０６８２３０  Ａ１号パンフレット
【発明の開示】
【発明が解決しようとする課題】
【０００５】
本発明の目的は、簡易な構成で、露光走査に同期した電圧の生成が可能な光書込型表示媒体及び走査型光書込装置を提供することにある。
【課題を解決するための手段】
【０００６】
本発明の一態様は、上記目的を達成するため、以下の光書込型表示媒体及び走査型光書込装置を提供する。
【０００７】
［１］積層された液晶層及び光導電層からなる積層体と、前記積層体の両側に設けられた一対の電極と、前記一対の電極の少なくとも一方の電極上に設けられた受電端子と、前記一方の電極と前記受電端子との間に設けられ、外部刺激によってスイッチング動作して前記一方の電極と前記受電端子とを接続する、所定の方向に形成された１又は２以上のスイッチを１単位とする複数のスイッチパターンを有するスイッチパターン保持体とを備えた光書込型表示媒体。
【０００８】
［２］積層された液晶層及び光導電層からなる積層体と、前記積層体の両側に設けられ、少なくとも一方が所定の方向に分割された複数の分割電極からなる一対の電極と、前記複数の分割電極上に設けられた受電端子と、前記複数の分割電極と前記受電端子との間に設けられ、外部刺激によってスイッチング動作して前記分割電極と前記受電端子とを接続する、前記所定の方向に形成された１又は２以上のスイッチを前記分割電極毎の１単位とする複数のスイッチパターンを有するスイッチパターン保持体とを備えた光書込型表示媒体。
【０００９】
［３］前記スイッチパターン保持体は、前記複数のスイッチパターンを複数列有する前記［１］又は［２］に記載の光書込型表示媒体。
【００１０】
［４］前記スイッチパターン保持体は、前記外部刺激として加圧によって抵抗値が小さくなる導電性弾性体を前記スイッチとして有する前記［１］又は［２］に記載の光書込型表示媒体。
【００１１】
［５］前記スイッチパターン保持体は、前記外部刺激として光によって抵抗値が小さくなる光導電体を前記スイッチとして有する前記［１］又は［２］に記載の光書込型表示媒体。
【００１２】
［６］前記スイッチパターン保持体は、前記外部刺激として加熱によって抵抗値が小さくなる感熱抵抗体を前記スイッチとして有する前記［１］又は［２］に記載の光書込型表示媒体。
【００１３】
［７］前記スイッチパターン保持体は、前記外部刺激を受ける箇所を限定する開口を有する前記［４］、［５］又は［６］に記載の光書込型表示媒体。
【００１４】
［８］積層された液晶層及び光導電層からなる積層体、前記積層体の両側に設けられた一対の電極、及び前記一対の電極の少なくとも一方の電極上に設けられた複数列の受電端子と、前記一方の電極と前記複数列の受電端子との間に設けられ、外部刺激によってスイッチング動作して前記一方の電極と前記受電端子とを接続する、副走査方向に形成された１又は２以上のスイッチを１単位とする複数のスイッチパターンを複数列有するスイッチパターン保持体を備えた光書込型表示媒体を、前記副走査方向に相対的に搬送する搬送手段と、前記光書込型表示媒体の前記スイッチパターン保持体が設けられていない方の前記電極に給電する第１の給電端子と、前記光書込型表示媒体の前記スイッチパターン保持体が設けられた方の前記電極に前記スイッチを介して給電する複数の第２の給電端子と、前記第１の給電端子に所定の電位の電圧を印加し、前記複数の第２の給電端子に互いに異なる電位の電圧を印加する電圧印加手段と、前記電圧印加手段によって印加された前記電圧が前記スイッチパターンを介して前記電極に印加されるように前記スッチパターンに外部刺激を付加する付加手段と、前記電圧印加手段及び前記付加手段により前記一対の電極間に前記電圧が印加されているとき、画像データに基づいて主走査方向に露光走査する露光手段とを備えた走査型光書込装置。
【００１５】
［９］前記電圧印加手段は、前記第２の給電端子に印加する直流電圧を発生する電圧発生部を備えた前記［８］に記載の走査型光書込装置。
【００１６】
［１０］前記電圧印加手段は、前記第２の給電端子に印加する交流電圧を発生する電圧発生部を備えた前記［８］に記載の走査型光書込装置。
【発明の効果】
【００１７】
請求項１に係る光書込型表示媒体によれば、簡易な構成で、露光走査に同期した電圧の生成が可能になる。
【００１８】
請求項２に係る光書込型表示媒体によれば、高解像度の画像を書き込むことができる。
【００１９】
請求項３に係る光書込型表示媒体によれば、異なる電位の電圧を印加することができる。
【００２０】
請求項４に係る光書込型表示媒体によれば、加圧により確実にスイッチパターンに基づく電圧の印加を行うことができる。
【００２１】
請求項５に係る光書込型表示媒体によれば、非接触の光でスイッチパターンに基づく電圧の印加を行うことができる。
【００２２】
請求項６に係る光書込型表示媒体によれば、非接触の加熱でスイッチパターンに基づく電圧の印加を行うことができる。
【００２３】
請求項７に係る光書込型表示媒体によれば、高速変調できない光源、熱源で駆動することが可能になり、複雑な制御が不要になる。
【００２４】
請求項８に係る走査型光書込装置によれば、簡易な構成で、露光走査に同期した電圧の生成が可能になる。
【００２５】
請求項９に係る走査型光書込装置によれば、電源に直流電圧を用いることができる。
【００２６】
請求項１０に係る走査型光書込装置によれば、電源に交流電圧を用いることができる。
【発明を実施するための最良の形態】
【００２７】
［第１の実施の形態］
図１は、本発明の第１の実施の形態に係る書込装置の概略の構成を示す斜視図である。この書込装置１は、走査型光書込装置であり、表示媒体２が挿入される挿入口３ｇ、及び表示媒体２が排出される排出口３ｈを有する略矩形状の装置本体３と、挿入口３ｇに挿入された表示媒体２に、主走査方向Ｘ及び副走査方向Ｙに走査して画像を書き込む後述する書込ヘッドとを備えて構成されている。
【００２８】
装置本体３は、上面３ａ、下面３ｂ、側面３ｃ〜３ｆを有する略矩形状を有し、側面３ｃに上記挿入口３ｇを有し、側面３ｅに上記排出口３ｈを有する。
【００２９】
（表示媒体）
表示媒体２は、略薄型矩形状を有し、無電源で表示画像を保持するメモリ性を有し、積層されたコレステリック液晶等からなる液晶層と光導体層からなる積層体と、積層体の両側に設けられた一対の電極とを備え、一対の電極間への電圧の印加と光の照射によって画像を書き込む光書込型表示媒体である。一対の電極のうち裏面２ｂ側の電極は、副走査方向Ｙに分割された複数の分割電極からなる。この表示媒体２には、画像を表示する表面２ａに光を照射する表書込タイプと裏面２ｂに光を照射する裏書込タイプとがある。本実施の形態では、裏書込タイプを用いる。
【００３０】
（液晶層の特性）
図２は、コレステリック液晶の分子配向と光学特性の関係を示す図である。液晶層のコレステリック液晶が示すプレーナ相は、螺旋軸に平行に入射した光を右旋光と左旋光に分け、螺旋の捩じれ方向に一致する円偏光成分をブラッグ反射し、残りの光を透過させる選択反射現象を起こす。反射光の中心波長λおよび反射波長幅Δλは、螺旋ピッチをｐ、螺旋軸に直交する平面内の平均屈折率をｎ、複屈折率をΔｎとすると、それぞれ、λ＝ｎ・ｐ、Δλ＝Δｎ・ｐで表され、プレーナ相のコレステリック液晶層による反射光は、螺旋ピッチに依存した鮮やかな色を呈する。
【００３１】
正の誘電率異方性を有するコレステリック液晶は、図２（ａ）に示すように、螺旋軸がセル表面に垂直になり、入射光に対して上記の選択反射現象を起こすプレーナー相、同図（ｂ）に示すように、螺旋軸がほぼセル表面に平行になり、入射光を少し前方散乱させながら透過させるフォーカルコニック相、および同図（ｃ）に示すように、螺旋構造がほどけて液晶ダイレクタが電界方向を向き、入射光をほぼ完全に透過させるホメオトロピック相、の３つの状態を示す。
【００３２】
上記の３つの状態のうち、プレーナー相とフォーカルコニック相は、無電界で双安定に存在することができる。従って、コレステリック液晶の相状態は、液晶層に印加される電界強度に対して一義的に決まらず、プレーナー相が初期状態の場合には、電界強度の増加に伴って、プレーナー相、フォーカルコニック相、ホメオトロピック相の順に変化し、フォーカルコニック相が初期状態の場合には、電界強度の増加に伴って、フォーカルコニック相、ホメオトロピック相の順に変化する。
【００３３】
一方、液晶層に印加した電界強度を急激にゼロにした場合には、プレーナー相とフォーカルコニック相はそのままの状態を維持し、ホメオトロピック相はプレーナー相に変化する。
【００３４】
特に、コレステリック液晶に高分子を添加したＰＮＬＣ（Ｐｏｌｙｍｅｒ−Ｎｅｔｗｏｒｋｅｄ Ｌｉｑｕｉｄ Ｃｒｙｓｔａｌ）構造またはＰＣＬＣ（Ｐｏｌｙｍｅｒ−Ｄｉｓｐｅｒｓｅｄ Ｌｉｑｕｉｄ Ｃｒｙｓｔａｌ）構造の液晶層においては、コレステリック液晶と高分子の界面における干渉により（アンカリング効果）、プレーナー相とフォーカルコニック相の無電界における双安定性が向上し、長期間に渡ってパルス信号印加直後の状態を保持することができる。
【００３５】
図３は、一対の電極間に印加される電圧（外部印加電圧）に対する液晶層のスイッチング挙動を示す。なお、実線は露光時、破線は非露光時の挙動を示す。
【００３６】
露光時の液晶層のプレーナー相からフォーカルコニック相への変化の閾値電圧をＶｐｆｅ、非露光時の液晶層のプレーナー相からフォーカルコニック相への変化の閾値電圧をＶｐｆｕ、露光時の液晶層のフォーカルコニック相からプレーナー相への変化の閾値電圧をＶｆｐｅ、非露光時の液晶層のフォーカルコニック相からプレーナー相への変化の閾値電圧をＶｆｐｕとする。
【００３７】
リセット時に、Ｖｆｐｕ以上のリセット用の電圧ＶＨ１を印加することにより、液晶層のコレステリック液晶はプレーナ相となる。その後、電圧ＶＨ１の印加を停止しても、プレーナー相はメモリ性があるので、液晶層は高い反射率を保持する。
【００３８】
次に、書込時に、Ｖｐｆｅ以上、Ｖｐｆｕ以下の書込用の電圧ＶＨ２を印加するが、露光が始まるまで、プレーナ相は保持され、選択反射を示す。
【００３９】
その後、露光を開始すると、液晶層に分配される電圧が増加して、液晶層はプレーナー相からフォーカルコニック相に変化する。その後、露光が終っても、フォーカルコニック相はメモリ性があるので、液晶層は低い反射率を保持する。
【００４０】
一方、露光を受けない部分については、Ｖｆｐｕ以上の電圧ＶＨ１を印加することにより形成されたプレーナー相が最後まで保持され、選択反射を示し続ける。
【００４１】
（書込装置の構成）
図４は、図１のＡ−Ａ線断面図、図５は、図４の書込装置を下側から見た平面図である。装置本体３は、図４に示すように、挿入口３ｇと排出口３ｈとの間に表示媒体２の裏面２ｂを受ける受け板５が設けられ、挿入口３ｇから排出口３ｈに向かって、一対の搬送ローラ４Ａ，４Ａ、基準用給電端子１４４Ａ、（１４４Ｂ）、リセット用給電端子１４２、リセット用光源６、一対のリセット用加圧子７Ａ，７Ａ、書込用給電端子１４３、書込ヘッド８、一対の書込用加圧子７Ｂ，７Ｂ、及び一対の搬送ローラ４Ｂ，４Ｂが配設されている。
【００４２】
挿入口３ｇ側の一対の搬送ローラ４Ａ，４Ａのうち一方がモータ（図示せず）によって駆動される駆動ローラであり、他方が駆動ローラに従って回転する従動ローラとなっている。排出口３ｈ側の一対の搬送ローラ４Ｂ，４Ｂは、一方が搬送ローラ４Ａの駆動ローラとベルトによって連結され、他方がその駆動ローラに従って回転する従動ローラとなっている。
【００４３】
図４に示す基準用給電端子１４４Ａ、（１４４Ｂ）は、表示媒体２の後述する基準用受電端子に接触して基準用電圧が印加されるようになっている。
【００４４】
図４、図５に示すリセット用給電端子１４２は、表示媒体２のリセット用受電端子２１０Ａ〜２１０Ｃに接触してリセット用電圧が印加されるようになっている。
【００４５】
図４、図５に示す書込用給電端子１４３は、表示媒体２の後述する書込用受電端子２１１Ａ〜２１１Ｆに接触して書込用電圧が印加されるようになっている。
【００４６】
上記給電端子１４４、１４２、１４３は、リン青銅、ベリリウム銅等の銅合金やステンレス鋼等の導電性を有するばね材料を用いて形成され、例えば、「Ｊ」の字形に曲げ加工が施され、膨出点が表示媒体２のそれぞれの受電端子に弾性的に接触するように構成されている。
【００４７】
リセット用光源６は、例えば、ＥＬ（electroluminescence）パネル、発光ダイオードが２次元に配列された発光ダイオードパネル等を用いることができる。
【００４８】
一対のリセット用加圧子７Ａ，７Ａ及び一対の書込用加圧子７Ｂ，７Ｂは、ゴム等の弾性部材から形成され、ばね等の付勢部材によって互いに接触する方向に加圧されている。一対のリセット用加圧子７Ａ，７Ａ間、及び一対の書込用加圧子７Ｂ，７Ｂ間に表示媒体２が進入すると、加圧子７Ａ，７Ｂは、表示媒体２の移動に従って回転するように軸が支持されている。一対のリセット用加圧子７Ａは、図３に示すように、リセット用受電端子２１０Ａ〜２１０Ｃを外部刺激として加圧する位置に配置され、一対の書込用加圧子７Ｂは、図３に示すように、書込用受電端子２１１Ａ〜２１１Ｆを加圧する位置に配置されている。
【００４９】
（書込ヘッド）
書込ヘッド８は、図４に示すように、主走査方向Ｘに１次元に配列された複数の発光素子８０ａを有する発光素子アレイ８０と、発光素子アレイ８０の光出力側に設けられたレンズアレイ８１とを備える。
【００５０】
発光素子アレイ８０は、レーザ、発光ダイオード等の発光素子８０ａを用いることができる。本実施の形態は、例えば、１６００ｄｐｉの分解能を有する発光ダイオードアレイを用いる。
【００５１】
図６（ａ）は、発光素子アレイの光出力面を示す図、図６（ｂ）、図６（ｃ）は、変形例の発光素子アレイの光出力面を示す図である。本実施の形態の書込ヘッド８は、図６（ａ）に示すように、発光素子８０ａが主走査方向Ｘに１次元に配列されているが、主走査方向Ｘに２次元に配列されてもよい。２次元の配列として、例えば、図６（ｂ）に示すように、ノコギリ状に配列されてもよい。具体的には、複数個（例えば３つ）を所定の角度で斜め方向に配列し、この斜め方向の配列を主走査方向Ｘに所定のピッチで配列してもよい。図６（ｂ）に示す各発光素子８０ａの主走査方向Ｘの間隔ｄは等しい。２次元の配列の別の例として図６（ｃ）に示すように、比較的短い１次元配列を複数列、副走査方向Ｙに微小幅ずらして配列されてもよい。具体的には、複数個（例えば８つ）を一組として主走査方向Ｘに配列されるが、１番目の組と２番目の組は副走査方向Ｙに微小幅ずらして配置される。同様に２番目の組と３番目の組も微小幅ずらして配置されるが、ずれる向きを逆にすることにより１番目の組と３番目の組は副走査方向Ｙにおいてずれなく配列される。つまり、奇数番目と偶数番目の組は副走査方向Ｙに微小幅ずれて配置されるが、偶数番目同士、奇数番目同士は副走査方向Ｙにおいてずれなく配置される。図６（ｃ）に示す各発光素子８０ａの主走査方向Ｘの間隔ｄは等しい。また、各発光素子８０ａの副走査方向Ｙの間隔も等しくｄである。図６（ｃ）に示す配置は各発光素子８０ａを８個単位で固定支持するプラスチックパッケージが互いに干渉しないための工夫である。
【００５２】
（表示媒体の受電端子）
図７は、表示媒体の表面を示す平面図である。表示媒体２は、表面２ａの左右の側面２ｃ，２ｃ’側に副走査方向Ｙに沿って基準用電圧が印加される２つの基準用受電端子２０７Ａ，２０７Ｂが形成されている。
【００５３】
図８は、表示媒体の裏面を示す平面図である。表示媒体２は、裏面２ｂの一方の側面２ｃ側に副走査方向Ｙに沿って３つのリセット用受電端子２１０Ａ〜２１０Ｃが形成され、裏面２ｂの他方の側面２ｃ’に６つの書込用受電端子２１１Ａ〜２１１Ｆが形成されている。
【００５４】
リセット用受電端子２１０Ａ〜２１０Ｃには、それぞれプラスの電圧（＋ＨＶ１）、０Ｖ（ＧＮＤ）、マイナスの電圧（−ＨＶ１）が印加される。
【００５５】
書込用受電端子２１１Ａ〜２１１Ｃは、露光走査開始側から奇数番目の分割電極用であり、書込用受電端子２１１Ａ〜２１１Ｃには、それぞれプラスの電圧（＋ＨＶ２）、０Ｖ（ＧＮＤ）、マイナスの電圧（−ＨＶ２）が印加される。
【００５６】
書込用受電端子２１１Ｄ〜２１１Ｆは、露光走査開始側から偶数番目の分割電極２０１Ｂ用であり、書込用受電端子２１１Ｄ〜２１１Ｆには、それぞれプラスの電圧（＋ＨＶ２）、０Ｖ（ＧＮＤ）、マイナスの電圧（−ＨＶ２）が印加される。
【００５７】
高圧が印加される受電端子２１０Ａ、２１０Ｃ、２１１Ａ、２１１Ｃ、２１１Ｄ、２１１Ｆは、感電防止のため、所定の長さ毎に分割されている。
【００５８】
（表示媒体の層構成）
図９（ａ）は、表示媒体２の層構成を示す図であって、図８のＢ−Ｂ線断面図、図９（ｂ）は、図９（ａ）の要部断面図である。図１０は、表示媒体２の分解斜視図である。
【００５９】
表示媒体２は、対向して配置されたＰＥＴ（ポリエチレンテレフタレート）等から形成された透明の第１及び第２の基板２００Ａ，２００Ｂと、第１の基板２００Ａの内側にＩＴＯ（インジウム錫酸化物）等から形成された透明の全面電極（第１の電極）２０１Ａと、第２の基板２００Ｂの内側にＩＴＯ等から形成された透明の複数の分割電極（第２の電極）２０１Ｂと、全面電極２０１Ａの内側に配置され、印加電圧に応じて反射率が変化するコレステリック液晶からなる液晶層２０２と、液晶層２０２に対し光吸収層２０５を介して配置され、光の照射によって抵抗値が小さくなる光導電層２０４と、絶縁体から形成された開口パターン（スイッチパターン）２３０を保持する開口パターン保持体（スイッチパターン保持体）２０８と、第２の基板２００Ｂの開口２００ａに配置された導電性弾性体２０９と、表面２ａに形成され、全面電極２０１Ａにスルーホール２０６を介して接続された図７に示す基準用受電端子２０７Ａ，２０７Ｂと、第２の基板２００Ｂの裏面２ｂに形成された図８に示すリセット用受電端子２１０Ａ〜２１０Ｃ、２１１Ａ〜２１１Ｆと、第２の基板２００Ｂの裏面２ｂに形成された図８に示す書込用受電端子２１１とを備える。
【００６０】
光導電層２０４は、電荷輸送層と、この電荷輸送層の両側に積層された一対の電荷発生層とからなる。これにより、液晶層２０２への交流電圧の印加が可能となるため、液晶層２０２の劣化を抑えることができ、駆動電圧の低電圧化、表示媒体２の高寿命化を実現することができる。
【００６１】
表示媒体２が書込用加圧子７Ｂ，７Ｂ間に進入すると、図７（ｂ）に示すように、導電性弾性体２０９が内側に変形し、開口パターン２３０内に入り込み、分割電極２０１Ｂと書込用受電端子２１１とが導通状態になる。この動きは、表示媒体２がリセット用加圧子７Ａ，７Ａ間に進入した場合も同様である。
【００６２】
（分割電極）
分割電極２０１Ｂは、図１０に示すように、平行部２１０と、平行部２１０の一方の側面２ｃ側に設けられ、開口パターン保持体２０８Ａの開口２３０を介して導電性弾性体２０９が接触する接触部２２０ａと、平行部２１０の他方の側面２ｃ’側に接続部２２１を介して接続され、開口パターン保持体２０８Ｂ、２０８Ｃの開口パターン２３０を介して導電性弾性体２０９が接触する接触部２２２が設けられている。
【００６３】
平行部２２０の他方に設けられた接触部２２２は、リセット用の電圧の印加時間よりも書込用の電圧の印加期間を長くするため、平行部２２０の一方に設けられた接触部２２０ａよりも副走査方向Ｙの長さを長くしている。
【００６４】
また、分割電極２０１Ｂは、図１０の右側（露光走査開始側）から奇数番目の接続部２２１は、短く形成され、偶数番目の接続部２２１は、長く形成され、接触部２２２が千鳥に配列されるようにしている。
【００６５】
（開口パターンと分割電極との関係）
図１１は、表示媒体の裏面側から見た開口パターンと分割電極の関係を示す要部平面図である。
【００６６】
開口パターン保持体２０８Ａは、分割電極２０１Ｂ毎に副走査方向Ｙに複数（例えば４つ）の短開口２３１を１単位とする開口パターン２３０Ａ，２３０Ｃと、複数（例えば２つ）の長開口２３２を１単位とする開口パターン２３０Ａが形成されている。表示媒体２がリセット用加圧子７Ａを通過する際に、導電性弾性体２０９が内側に変形して開口パターン２３０Ａ〜２３０Ｃの短開口２３１、長開口２３２内に入り込み、図１０に示すリセット用受電端子２１０Ａ〜２１０Ｃと分割電極２０１Ｂの接触部２２０ａとが導通状態となる。
【００６７】
開口パターン保持体２０８Ｂ、２０８Ｃは、分割電極２０１Ｂ毎に副走査方向Ｙに複数（例えば６つ）の短開口２３１を１単位とする開口パターン２３０Ｄ，２３０Ｆと、複数（例えば２つ）の長開口２３２を１単位とする開口パターン２３０Ｅが形成されている。表示媒体２が書込用加圧子７Ｂを通過する際に、図９（ｂ）に示すように、導電性弾性体２０９が内側に変形して開口パターン２３０Ｄ〜２３０Ｆの短開口２３１、長開口２３２内に入り込み、書込用受電端子２１１Ａ〜２１１Ｆと分割電極２０１Ｂの接触部２２２とが導通状態となる。
【００６８】
各開口パターン保持体２０８Ａ〜２０８Ｃに形成されている開口パターン２３０Ａ〜２３０Ｆを構成する短開口２３１及び長開口２３２の副走査方向Ｙの長さ、ピッチ、数は、同図のものに限定されない。
【００６９】
図１２は、本発明の第１の実施の形態に係る書込装置の制御系を示すブロック図である。この書込装置１は、書込装置１全体を制御する制御部１０と、モータにより搬送ローラ４Ａ，４Ｂを駆動するローラ駆動部１１と、リセット用光源６を駆動するリセット用光源駆動部１２と、書込ヘッド８の発光素子アレイ８０の各発光素子８０ａを駆動する発光素子アレイ駆動部１３と、表示媒体２の全面電極２０１Ａと分割電極２０１Ｂとの間に給電端子１４２Ａ〜１４２Ｃ、１４３Ａ〜１４３Ｆ、１４４Ａ、１４４Ｂ、及び受電端子２０７Ａ，２０７Ｂ、２１０Ａ〜２１０Ｃ、２１１Ａ〜２１１Ｆを介して電圧を印加する電圧印加部１４と、画像データを記憶する画像記憶部１５とを備える。
【００７０】
電圧印加部１４は、リセットモードのとき、リセット用の電圧（＋ＨＶ１、０Ｖ、−ＨＶ１）を発生するリセット用電圧発生部１４０と、書込モードのとき、書込用の電圧（＋ＨＶ２、０Ｖ、−ＨＶ２）を発生する書込用電圧発生部１４１とを備える。
【００７１】
制御部１０は、ＣＰＵ、ＣＰＵのプログラムを記憶するＲＯＭ、ＲＡＭ等を備え、リセットモードを実行した後に書込モードを実行するようになっている。リセットモードのときは、制御部１０は、リセット用の電圧を発生するようにリセット用電圧発生部１４０を制御し、リセット用光源６が点灯するようにリセット用光源駆動部１２を制御する。書込モードのときは、制御部１０は、書込用の電圧を発生するように書込用電圧発生部１４１を制御し、発光素子８０ａを主走査方向Ｘに走査するように発光素子アレイ駆動部１３を制御する。
【００７２】
（第１の実施の形態の動作）
図１３は、表示媒体２に印加する電圧波形と表示媒体２への光照射のタイミングを示す図である。次に、第１の実施の形態に係る書込装置１の動作について図１３を参照して説明する。
【００７３】
ユーザが表示媒体２を装置本体３の挿入口３ｇに挿入すると、図示しないフォトセンサが表示媒体２の進入を検出し、この検出に基づいて、制御部１０は、ローラ駆動部１１により図示しないモータを駆動させる。モータの駆動により搬送ローラ４Ａ，４Ｂが回転し、表示媒体２が副走査方向Ｙに搬送される。表示媒体２が副走査方向Ｙに搬送されている間に、制御部１０は、リセットモードを実行した後、書込モードを実行する。
【００７４】
（１）リセットモード
リセットモードにおいて、制御部１０は、電圧印加部１４のリセット用電圧発生部１４０からリセット用の電圧を発生させ、リセット用給電端子１４２Ａ〜１４２Ｃにそれぞれ＋ＨＶ１、０Ｖ、−ＨＶ１を印加し、基準用給電端子１４４Ａに０Ｖを印加する。
【００７５】
表示媒体２がリセット用加圧子７Ａ，７Ａ間に進入し、図１３に示すように、分割電圧２０１Ｂの接触部２２０ａが、開口パターン２３０Ａの短開口２３１を介して導電性弾性体２０９に接触したときは、分割電極２０１Ｂが導電性弾性体２０９及びリセット用受電端子２１０Ａを介してリセット用給電端子１４２Ａに電気的に接続され、電位が＋ＨＶ１となる。
【００７６】
分割電極２０１Ｂの接触部２２０ａが、開口パターン２３０Ｂの長開口２３２を介して導電性弾性体２０９に接触したときは、分割電極２０１Ｂが導電性弾性体２０９及びリセット用受電端子２１０Ｂを介してリセット用給電端子１４２Ｂに電気的に接続され、電位が０Ｖとなる。
【００７７】
分割電極２０１Ｂの接触部２２０ａが、開口パターン２３０Ｃの短開口２３０Ｂを介して導電性弾性体２０９に接触したときは、分割電極２０１Ｂが導電性弾性体２０９及びリセット用受電端子２１０Ｃを介してリセット用給電端子１４２Ｃに電気的に接続され、電位が−ＨＶ１となる。従って、図１３に示す電圧波形が分割電極２０１Ｂに印加される。
【００７８】
続いて、制御部１０は、リセット用光源駆動部１２によりリセット用光源６からリセット光を発生させる。リセット光を照射するタイミングは、図１３に示すように、電圧印加のタイミングとほぼ同一である。制御部１０は、所定の時間経過後、リセット用光源６を消灯させる。
【００７９】
表示媒体２の裏面２ｂにリセット光が照射されると、リセット光は、第２の基板２００Ｂ及び分割電極２０１Ｂを通過し、光導電層２０４に到達する。光導電層２０４は、光が照射されると、抵抗値が小さくなり、それにより、光導電層２０４とのインピーダンス比で決まる液晶層２０２の分圧が増加し、液晶層２０２がプレーナー相となって反射率が大きくなる。このようにして、表示媒体２の液晶層２０２全体がプレーナー相となって初期化される。
【００８０】
（２）書込モード
制御部１０は、画像記憶部１５から画像データを読み出し、画像データに基づいて電圧印加部１４及び発光素子アレイ駆動部１３を制御して書込モードを開始する。
【００８１】
制御部１０は、書込用電圧発生部１４１から書込用の電圧を発生させ、書込用給電端子１４３Ａ〜１４３Ｆにそれぞれ＋ＨＶ２、０Ｖ、−ＨＶ２、＋ＨＶ２、０Ｖ、−ＨＶ２を印加し、基準用給電端子１４４Ｂに０Ｖを印加する。
【００８２】
また、制御部１０は、発光素子アレイ駆動部１３を制御し、書込ヘッド８の発光素子アレイ８０の発光素子８０ａを主走査方向Ｘに沿って点灯制御を行う。発光素子アレイ８０は、画像光を表示媒体２の裏面２ｂに投影する。
【００８３】
表示媒体２が書込用加圧子７Ｂ，７Ｂ間に進入し、図１３に示すように、分割電圧２０１Ｂの接触部２２２が、開口パターン２３０Ｄの短開口２３１を介して導電性弾性体２０９に接触したときは、分割電極２０１Ｂが導電性弾性体２０９及び書込用受電端子２１１Ａ、２１１Ｄを介して書込用給電端子１４３Ａ、１４３Ｅに電気的に接続され、電位が＋ＨＶ２となる。
【００８４】
分割電極２０１Ｂの接触部２２２が、開口パターン２３０Ｅの長開口２３２を介して導電性弾性体２０９に接触したときは、分割電極２０１Ｂが導電性弾性体２０９及び書込用受電端子２１１Ｂ、２１１Ｅを介して書込用用給電端子１４３Ｂ、１４３Ｅに電気的に接続され、電位が０Ｖとなる。
【００８５】
分割電極２０１Ｂの接触部２２２が、開口パターン２３０Ｆの短開口２３１を介して導電性弾性体２０９に接触したときは、分割電極２０１Ｂが導電性弾性体２０９及び書込用受電端子２１１Ｃ、２１１Ｆを介して書込用給電端子１４３Ｃ、１４３Ｆに電気的に接続され、電位が−ＨＶ１２となる。従って、図１３に示す電圧波形が分割電極２０１Ｂに印加される。
【００８６】
以上のようにして表示媒体２の裏面２ｂに画像光が投影されると、画像光は、第２の基板２００Ｂ及び分割電極２０１Ｂを通過し、光導電層２０４に到達する。
【００８７】
光導電層２０４は、光が照射された領域は、光を反射させるプレーナー相が維持され、光が照射されなかった領域は、プレーナー相から光を透過させるフォーカルコニック相に変化する。従って、書込処理が終了した後、液晶層２０２の光が照射された領域は、プレーナー相が維持され、反射率が大きいために照明光が反射して白く見える。光が照射されなかった領域は、液晶層２０２がプレーナー相からフォーカルコニック相に変化するため、照明光が液晶層２０２を通過して光吸収層２０５で吸収されて黒く見える。この白黒のパターンが表示媒体２の表面２ａ側から画像として見える。この画像は、全面電極２０１Ａと分割電極２０１Ｂとの間への電圧印加を停止した後も長時間保持される。
【００８８】
［第２の実施の形態］
図１４は、本発明の第２の実施の形態に係る表示媒体に設けられた受電端子を示す図である。第１の実施の形態は、電圧発生部として直流電圧を発生するものを用いたが、本実施の形態は、電圧発生部として交流電圧を発生するものを用い、表示媒体２の裏面に形成する受電端子を交流電圧用に変更したものであり、他は第１の実施の形態と同様に構成されている。
【００８９】
表示媒体２は、裏面２ｂの一方の側面２ｃ側に副走査方向Ｙに沿って２つのリセット用受電端子２１０Ａ、２１０Ｂが形成され、裏面２ｂの他方の側面２ｃ’に４つの書込用受電端子２１１Ａ、２１１Ｂ、２１１Ｄ、２１１Ｅが形成されている。
【００９０】
リセット用受電端子２１０Ａ、２１０Ｂには、交流の電圧（ＨＶ１）、０Ｖ（ＧＮＤ）が印加される。
【００９１】
書込用受電端子２１１Ａ、２１１Ｄには、それぞれ交流の電圧（ＨＶ２）が印加され、書込受電端子２１１Ｂ、２１１Ｅには、それぞれ０Ｖ（ＧＮＤ）が印加される。
【００９２】
（開口パターンと分割電極との関係）
図１５は、表示媒体の裏面側から見た開口パターンと分割電極の関係を示す要部平面図である。
【００９３】
開口パターン保持体２０８Ａは、分割電極２０１Ｂ毎に副走査方向Ｙに１つの長開口２３２からなる開口パターン２３０Ａと、２つの短開口２３１からなる開口パターン２３０Ｂが形成されている。表示媒体２がリセット用加圧子７Ａを通過する際に、導電性弾性体２０９が内側に変形して開口パターン２３０Ａ、２３０Ｂの短開口２３１、長開口２３２内に入り込み、リセット用受電端子と分割電極２０１Ｂの接触部２２０ａとが導通状態となる。
【００９４】
開口パターン保持体２０８Ｂ、２０８Ｃは、分割電極２０１Ｂ毎に副走査方向Ｙに１つの長開口２３２からなる開口パターン２３０Ｄと、２つの短開口２３１からなる開口パターン２３０Ｅが形成されている。表示媒体２が書込用加圧子７Ｂを通過する際に、導電性弾性体２０９が内側に変形して開口パターン２３０Ｄ、２３０Ｅの短開口２３１、長開口２３２内に入り込み、書込用受電端子と分割電極２０１Ｂの接触部２２２とが導通状態となる。
【００９５】
各開口パターン保持体２０８Ａ〜２０８Ｃに形成されている開口パターン２３０Ａ、２３０Ｂ、２３０Ｄ、２３０Ｅを構成する短開口２３１及び長開口２３２の副走査方向Ｙの長さ、ピッチ、数は、同図のものに限定されない。
【００９６】
図１６は、本発明の第２の実施の形態に係る書込装置の制御系を示すブロック図である。本実施の形態の書込装置１は、第１の実施の形態と同様に、制御部１０、ローラ駆動部１１、リセット用光源駆動部１２、発光素子アレイ駆動部１３、及び画像記憶部１５を備えるが、電圧印加部１４が第１の実施の形態とは異なる。
【００９７】
本実施の形態の電圧印加部１４は、表示媒体２の全面電極２０１Ａと分割電極２０１Ｂとの間に給電端子１４２Ａ、１４２Ｂ、１４３Ａ、１４３Ｂ、１４３Ｄ、１４３Ｅ、１４４Ａ、１４４Ｂ、及び受電端子２０７Ａ，２０７Ｂ、２１０Ａ、２１０Ｂ、２１１Ａ、２１１Ｂ、２１１Ｄ、２１１Ｅを介して電圧を印加する。
【００９８】
電圧印加部１４は、リセットモードのとき、リセット用の電圧（交流ＨＶ１、０Ｖ）を発生するリセット用電圧発生部１４０と、書込モードのとき、書込用の電圧（交流ＨＶ２、０Ｖ、）を発生する書込用電圧発生部１４１とを備える。
【００９９】
（第２の実施の形態の動作）
図１７は、表示媒体２に印加する電圧波形と表示媒体２への光照射のタイミングを示す図である。
【０１００】
（１）リセットモード
リセットモードにおいて、制御部１０は、電圧印加部１４のリセット用電圧発生部１４０からリセット用の電圧を発生させ、リセット用給電端子１４２Ａ、１４２Ｂにそれぞれ交流電圧ＨＶ１、０Ｖを印加し、基準用給電端子１４４Ａに０Ｖを印加する。
【０１０１】
表示媒体２がリセット用加圧子７Ａ，７Ａ間に進入し、図１７に示すように、分割電圧２０１Ｂの接触部２２０ａが、開口パターン２３０Ａの長開口２３２を介して導電性弾性体２０９に接触したときは、分割電極２０１Ｂが導電性弾性体２０９及びリセット用受電端子２１０Ａを介してリセット用給電端子１４２Ａに電気的に接続され、電位＋ＨＶ１、−ＨＶ１が交互に現れる。
【０１０２】
分割電極２０１Ｂの接触部２２０ａが、開口パターン２３０Ｂの短開口２３１を介して導電性弾性体２０９に接触したときは、分割電極２０１Ｂが導電性弾性体２０９及びリセット用受電端子２１０Ｂを介してリセット用給電端子１４２Ｂに電気的に接続され、電位が０Ｖとなる。
【０１０３】
続いて、制御部１０は、リセット用光源駆動部１２によりリセット用光源６からリセット光を発生させる。リセット光を照射するタイミングは、図１６に示すように、電圧印加のタイミングとほぼ同一である。制御部１０は、所定の時間経過後、リセット用光源６を消灯させる。
【０１０４】
表示媒体２の裏面２ｂにリセット光が照射されると、リセット光は、第２の基板２００Ｂ及び分割電極２０１Ｂを通過し、光導電層２０４に到達する。光導電層２０４は、光が照射されると、抵抗値が小さくなり、それにより、光導電層２０４とのインピーダンス比で決まる液晶層２０２の分圧が増加し、液晶層２０２がプレーナー相となって反射率が大きくなる。このようにして、表示媒体２の液晶層２０２全体がプレーナー相となって初期化される。
【０１０５】
（２）書込モード
制御部１０は、画像記憶部１５から画像データを読み出し、画像データに基づいて電圧印加部１４及び発光素子アレイ駆動部１３を制御して書込モードを開始する。
【０１０６】
制御部１０は、書込用電圧発生部１４１から書込用の電圧を発生させ、書込用給電端子１４３Ａ、１４３Ｄにそれぞれ交流ＨＶ２を印加し、書込用給電端子１４３Ｂ、１４３Ｅにそれぞれ０Ｖを印加し、基準用給電端子１４４Ｂに０Ｖを印加する。
【０１０７】
また、制御部１０は、発光素子アレイ駆動部１３を制御し、書込ヘッド８の発光素子アレイ８０の発光素子８０ａを主走査方向Ｘに沿って点灯制御を行う。発光素子アレイ８０は、画像光を表示媒体２の裏面２ｂに投影する。
【０１０８】
表示媒体２が書込用加圧子７Ｂ，７Ｂ間に進入し、図１７に示すように、分割電圧２０１Ｂの接触部２２２が、開口パターン２３０Ｄの長開口２３２を介して導電性弾性体２０９に接触したときは、分割電極２０１Ｂが導電性弾性体２０９及び書込用受電端子２１１Ａ、２１１Ｄを介して書込用給電端子１４３Ａ、１４３Ｄに電気的に接続され、電位＋ＨＶ２、−ＨＶ２が交互に現れる。
【０１０９】
分割電極２０１Ｂの接触部２２２が、開口パターン２３０Ｅの短開口２３１を介して導電性弾性体２０９に接触したときは、分割電極２０１Ｂが導電性弾性体２０９及び書込用受電端子２１１Ｂ、２１１Ｅを介して書込用用給電端子１４３Ｂ、１４３Ｅに電気的に接続され、電位が０Ｖとなる。従って、図１６に示す電圧波形が分割電極２０１Ｂに印加さる。
【０１１０】
［第３の実施の形態］
図１８は、本発明の第３の実施の形態に係る表示媒体の層構成を示す要部断面図である。第１、第２の実施の形態では、開口パターン２３０を有する開口パターン保持体２０８と、導電性弾性体２０９を用いてスイッチングを行ったが、本実施の形態は、光導電体と開口パターン保持体を用いてスイッチングを行うものであり、他は第１の実施の形態と同様に構成されている。
【０１１１】
表示媒体２は、第１の実施の形態と同様に、第１及び第２の基板２００Ａ，２００Ｂと、全面電極２０１Ａと、複数の分割電極２０１Ｂと、液晶層２０２と、光導電層２０４と、光吸収層２０５と、基準用受電端子２０７と、書込用受電端子２１１とを備え、さらに、第２の基板２００Ｂの開口２００ａに配置された光導電体（スイッチ）２４０と、遮光性を有する材料から形成され、第１の実施の形態と同様の開口パターン（スイッチパターン）２３０を有する開口パターン保持体（スイッチパターン保持体）２０８とを備える。
【０１１２】
書込用受電端子２１１は、透光性を有するＩＴＯ等から形成されている。リセット用受電端子も書込用受電端子と同様に構成されている。
【０１１３】
スイッチ用光源４１から表示媒体２の裏面２ｂに外部刺激として光を照射することにより、その光が開口パターン２３０を介して光導電体２４０に照射し、光導電体２４０の抵抗値が低くなって分割電極２０１Ｂと書込用受電端子２１１が導通状態となり、第１の実施の形態と同様に、パルス状の電圧を表示媒体２に印加することができる。
【０１１４】
［第４の実施の形態］
図１９は、本発明の第４の実施の形態に係る表示媒体の層構成を示す要部断面図である。第１、第２の実施の形態では、開口パターン２３０を有する開口パターン保持体２０８と、導電性弾性体２０９を用いてスイッチングを行ったが、本実施の形態は、感温抵抗体と開口パターン保持体を用いてスイッチングを行うものであり、他は第１の実施の形態と同様に構成されている。
【０１１５】
表示媒体２は、第１の実施の形態と同様に、第１及び第２の基板２００Ａ，２００Ｂと、全面電極２０１Ａと、複数の分割電極２０１Ｂと、液晶層２０２と、光導電層２０４と、光吸収層２０５と、基準用受電端子２０７と、書込用受電端子２１１とを備え、さらに、第２の基板２００Ｂの開口２００ａに配置された光導電体２４０と、断熱性を有する材料から形成され、第１の実施の形態と同様の開口パターン２３０を有する開口パターン保持体２０８とを備える。
【０１１６】
書込用受電端子２１１は、熱伝導性の高い銅等から形成されている。リセット用受電端子も書込用受電端子と同様に構成されている。
【０１１７】
サーマルヘッド４２により表示媒体２の裏面２ｂを外部刺激として加熱することにより、その熱が開口パターン２３０を介して感熱抵抗体２５０に付与され、感熱抵抗体２５０の抵抗値が低くなって分割電極２０１Ｂと書込用受電端子２１１が導通状態となり、第１の実施の形態と同様に、パルス状の電圧を表示媒体２に印加することができる。
【０１１８】
［他の実施の形態］
なお、本発明は、上記各実施の形態に限定されず、本発明の趣旨を逸脱しない範囲内で種々な変形が可能であり、本発明の趣旨を逸脱しない範囲内で各実施の形態間の構成要素を任意に組み合わせることができる。
【０１１９】
また、上記各実施の形態では、装置本体３に対して表示媒体２を移動させたが、表示媒体２を固定にし、書込ヘッド８を移動させてもよい。
【０１２０】
また、表示媒体は、表書込タイプを用いてもよい。この場合は、光吸収層２０５を光導電層２０４と裏面２ｂとの間の配置し、液晶層２０２と光導電層２０４との間に離隔層を配置する。
【０１２１】
また、上記各実施の形態では、開口パターンを用いたが、外部刺激によって分割電極と受電端子とを接続する導電性弾性体、光導電体、感温抵抗体を開口のサイズに形成してもよい。
【図面の簡単な説明】
【０１２２】
【図１】図１は、本発明の実施の形態に係る書込装置の概略の構成を示す斜視図である。
【図２】図２は、コレステリック液晶の分子配向と光学特性の関係を示す図である。
【図３】図３は、一対の電極間に印加された電圧に対する液晶層のスイッチング挙動を示す図である。
【図４】図４は、図１のＡ−Ａ線断面図である。
【図５】図５は、図４の書込装置を下側から見た平面図である。
【図６】図６（ａ）は、発光素子アレイの光出力面を示す図、図６（ｂ）、（ｃ）は、変形例の発光素子アレイの光出力面を示す図である。
【図７】図７は、表示媒体の表面を示す平面図である。
【図８】図８は、表示媒体の裏面を示す平面図である。
【図９】図９（ａ）は、表示媒体の層構成を示す図であって、図８のＢ−Ｂ線断面図、図９（ｂ）は、図９（ａ）の要部断面図である。
【図１０】図１０は、表示媒体の分解斜視図である。
【図１１】図１１は、表示媒体の裏面側から見た開口パターンと分割電極の関係を示す要部平面図である。
【図１２】図１２は、本発明の実施の形態に係る書込装置の制御系を示すブロック図である。
【図１３】図１３は、表示媒体に印加する電圧波形と表示媒体への光照射のタイミングを示す図である。
【図１４】図１４は、本発明の第２の実施の形態に係る表示媒体に設けられた受電端子を示す図である。
【図１５】図１５は、表示媒体の裏面側から見た開口パターンと分割電極の関係を示す要部平面図である。
【図１６】図１６は、本発明の第２の実施の形態に係る書込装置の制御系を示すブロック図である。
【図１７】図１７は、表示媒体に印加する電圧波形と表示媒体への光照射のタイミングを示す図である。
【図１８】図１８は、本発明の第３の実施の形態に係る表示媒体の層構成を示す要部断面図である。
【図１９】図１９は、本発明の第４の実施の形態に係る表示媒体の層構成を示す要部断面図である。
【符号の説明】
【０１２３】
１  書込装置
２  表示媒体
２ａ  表面
２ｂ  裏面
２ｃ，２ｃ’  側面
３  装置本体
３ａ  上面
３ｂ  下面
３ｃ〜３ｆ  側面
３ｇ  挿入口
３ｈ  排出口
４Ａ，４Ｂ  搬送ローラ
５  受け板
６  リセット用光源
７Ａ  リセット用加圧子
７Ｂ  書込用加圧子
８  書込ヘッド
１０  制御部
１１  ローラ駆動部
１２  リセット用光源駆動部
１３  発光素子アレイ駆動部
１４  電圧印加部
１５  画像記憶部
４１  スイッチ用光源
４２  サーマルヘッド
８０  発光素子アレイ
８０ａ  発光素子
８１  レンズアレイ
１４０  リセット用電圧発生部
１４１  書込用電圧発生部
１４２Ａ〜１４２Ｃ  リセット用給電端子
１４３Ａ〜１４３Ｆ  書込用給電端子
１４４Ａ，１４４Ｂ  基準用給電端子
２００Ａ  第１の基板
２００Ｂ  第２の基板
２００ａ  開口
２０１Ａ  全面電極
２０１Ｂ  分割電極
２０２  液晶層
２０４  光導電層
２０５  光吸収層
２０６  スルーホール
２０７Ａ，２０７Ｂ  基準用受電端子
２０８Ａ〜２０８Ｃ  開口パターン保持体
２０９  導電性弾性体
２１０Ａ〜２１０Ｃ  リセット用受電端子
２１１Ａ〜２１１Ｆ  書込用受電端子
２２０  平行部
２２０ａ  接触部
２２１  接続部
２２２  接触部
２３０Ａ〜２３０Ｆ  開口パターン
２４０  光導電体
２５０  感温抵抗体
【図１】
2009069307.tif 000003
【図２】
2009069307.tif 000004
【図３】
2009069307.tif 000005
【図４】
2009069307.tif 000006
【図５】
2009069307.tif 000007
【図６】
2009069307.tif 000008
【図７】
2009069307.tif 000009
【図８】
2009069307.tif 000010
【図９】
2009069307.tif 000011
【図１０】
2009069307.tif 000012
【図１１】
2009069307.tif 000013
【図１２】
2009069307.tif 000014
【図１３】
2009069307.tif 000015
【図１４】
2009069307.tif 000016
【図１５】
2009069307.tif 000017
【図１６】
2009069307.tif 000018
【図１７】
2009069307.tif 000019
【図１８】
2009069307.tif 000020
【図１９】
2009069307.tif 000021